(57)【特許請求の範囲】
【請求項１】
電源部と、本体システムと、外部から制御コマンドを受け付けて前記本体システムに伝送するサブシステムと、前記電源部から前記サブシステムへの電源供給を中断する省電力機能を制御するための省電力モード解除キーと、
前記省電力モード解除キーの状態を検知し、前記省電力モード解除キーが操作されたときに、前記サブシステムへの電源の供給を開始させると共に、前記省電力モード解除キーの操作が所定時間以上継続されると検知信号を出力する検知部と、を備えた画像処理装置であって、
前記サブシステムは、
省電力モードの解除を報知する音声出力部と、
前記省電力モード解除キーの操作によって前記サブシステムへの電源の供給が開始されると、前記サブシステムを初期化し、その後、前記検知部を参照して前記検知信号のレベルを判断して前記検知信号が有効であれば前記音声出力部を作動させて報知する一方、前記検知信号が有効でなければ、前記サブシステムへの電源供給を禁止させて前記省電力モードに戻す制御部とを備えている画像処理装置。
【発明の詳細な説明】
【技術分野】
【０００１】
本発明は、本体システムと、外部から制御コマンドを受け付けて本体システムに伝送するサブシステムとからなる基本構成を有した画像処理装置に関する。
【背景技術】
【０００２】
上記のような基本構成からなる画像処理装置の例は、例えば次の特許文献１に記載がある。すなわち、キー操作によって省電力モードから復帰できるようにするため、省電力モード中でも操作部に電源を供給する構成になっている。しかしながら、そのために省電力の効果が充分でない。
【０００３】
これに対して、特許文献２には、システム本体と操作パネルサブシステムとを備えた画像処理装置が開示されており、省電力モードになると、システム本体の電源と操作パネルサブシステムの電源との両方をオフにすることが記載されている。
【特許文献１】特開２０００−０５６８６９公報
【特許文献２】特開平１１−００７３４３号公報
【発明の開示】
【発明が解決しようとする課題】
【０００４】
ところで、省電力モードから復帰させるための操作を受け付ける専用キーを設けた場合は、画像処理装置がその操作を受け付けたときに例えばブザー音等を発してユーザに知らせることが望まれる。しかしながら、従来、そのようなブザー音を発する音声出力部は、本体システムの常に給電される部分として構成されており、省電力モード中でも電力を消費してしまうという問題があった。
【０００５】
そこで本発明は、その問題を解決して、省電力モードを解除するための操作の受け付けを通知する音声出力部の消費電力を抑える新規な構成の画像処理装置の提案を目的とする。
【課題を解決するための手段】
【０００６】
すなわち、本発明は、電源部と、本体システムと、外部から制御コマンドを受け付けて前記本体システムに伝送するサブシステムと、前記電源部から前記サブシステムへの電源供給を中断する省電力機能を制御するための省電力モード解除キーと、前記省電力モード解除キーの状態を検知し、前記省電力モード解除キーが操作されたときに、前記サブシステムへの電源の供給を開始させると共に、前記省電力モード解除キーの操作が所定時間以上継続されると検知信号を出力する検知部と、を備えた画像処理装置であって、前記サブシステムは、省電力モードの解除を報知する音声出力部と、前記省電力モード解除キーの操作によって前記サブシステムへの電源の供給が開始されると、前記サブシステムを初期化し、その後、前記検知部を参照して前記検知信号のレベルを判断して前記検知信号が有効であれば前記音声出力部を作動させて報知する一方、前記検知信号が有効でなければ、前記サブシステムへの電源供給を禁止させて前記省電力モードに戻す制御部とを備えている。
【発明の効果】
【０００９】
本発明では、省電力モードの解除を報知する音声出力部をサブシステム部に設け、かつ省電力モード中は、サブシステムへの電源供給を中断する構成としているので、音声出力部の消費電力を抑えられる。また、音声出力部は、主にサブシステムの操作をガイドして音声出力するものなので、本体システムに音声出力部を設けた従来の構成よりも、回路構成が簡単である。
【００１０】
常に電源が供給され省電力モード解除キーの状態を検知する検知部を備えた構成では、ユーザの操作によって省電力モードを解除できて利便である。
【００１１】
また、省電力モード解除キーが継続して操作されている時間を判別して、所定値以上であれば音声出力部を作動させて報知する一方、所定時間未満であれば、サブシステムへの電源供給を禁止させて前記省電力モードに戻す構成では、例えばユーザが省電力モード解除キーに意図せずに触れてしまったような誤操作の場合は、画像処理装置が省電力モードに戻るので電力が不必要に消費されることがなくなる。
【発明を実施するための最良の形態】
【００１２】
本発明は、各種画像処理装置、例えばプリンタ装置、スキャナ装置、コピー装置、ファクシミリ装置、およびそれらの機能を統合した複合機等に適用でき、画像処理装置の種別に特段の制限はない。以下、本発明の実施例を図に従って説明する。
【００１３】
図１は、本発明の思想を説明するため抽象化した画像処理装置の構成を示したブロック図である。つまり、特定の機能を有した画像処理装置を例示したものではなく発明思想に沿う形で、各種画像処理装置を一般化し単純化して示している。
【００１４】
画像処理装置１は、基本的には、装置各部に電源を供給する電源部１１と、本体システム１２と、外部から制御コマンドを受け付けて本体システム１２に伝送するサブシステム１３とで構成されている。
【００１５】
そして、発明の前提条件となる省電力機能として、画像処理装置１は少なくとも電源部１１によるサブシステム１３への電源の供給を中断する機能を有するが、本体システム１２への電源の供給も同様に中断するようにしてもよい。また、この省電力機能によって中断された電源供給を再開させるために、画像処理装置１には常に電源が供給される検知部１４が更に備えられている。この検知部１４には、省電力モードを設定あるいは解除させるための操作を受け付ける省電力モード解除キー１５が付加されている。
【００１６】
検知部１４は、省電力モード解除キー１５が操作されたときに、本体システム１２あるいはサブシステム１３への電源の供給を再開させる。
【００１７】
電源部１１は、検知部１４に対しては常に電源を供給するが、本体システム１２あるいはサブシステム１３に対しては、検知部１４の制御に従って、電源を供給し、またその供給を中断する構成になっている。しかしながら、ファクシミリ装置等では、省電力モード中であっても、ファクシミリ受信し、また受信した画像データを保持する必要があるので、そのような省電力モード中にも作動させるべき部分に対しては常に電源を供給する。
【００１８】
本体システム１２は、制御部１２ａと画像処理部１２ｂとで構成されている。
制御部１２ａは、画像処理部１２ｂを制御して所定の画像処理を実行させる一方、サブシステム１３とデータ通信して、サブシステム１３から各種制御コマンドを受け付ける。制御コマンドには、例えば、動作条件を設定するためのコマンドや、所定のジョブを実行させるためのコマンドがある。
【００１９】
画像処理部１２ｂは、所定のジョブを実行する機構部と、それに付随する電子回路等からなる。例えば、プリンタ装置であれば、印字すべき画像を保持する画像メモリ、記録紙を搬送する搬送機構、記録紙に画像を印字する印字機構、搬送制御回路、印字制御回路等である。
【００２０】
サブシステム１３は、制御部１３ａと、例えばキーパッドからなる操作部１３ｂと、液晶パネルからなる表示部１３ｃと、音声出力部１３ｄとを備えている。この音声出力部１３ｄは、操作部１３ｂの操作に応じた音声の出力が主たる目的であるが、ブザー音等によって省電力モードの解除を報知するためにも使われる。なお、省電力モード解除キー１５は、操作部１３ｂと併設されていてもよい。
【００２１】
制御部１３ａは、操作部１３ｂ、表示部１３ｃを制御して、操作部１３ｂのキー操作を受け付け、そのキー操作に対応した情報を表示部１３ｃに表示すると共に、本体システム１２とデータ通信して、操作部１３ｂのキー操作を解読した情報を本体システム１２に伝送する。また、制御部１３ａは、省電力モード解除キー１５の操作によってサブシステム１３への電源の供給が再開されると、サブシステム１３の各部を初期化し、その後、音声出力部１３ｄを作動させて報知する。あるいは、制御部１３ａはサブシステム１３の各部を初期化した後、検知部１４を参照して、省電力モード解除キー１５が継続して操作されている時間を判別し、その結果、所定値以上であれば音声出力部１３ｄを作動させて報知する一方、所定時間未満であれば、サブシステム１３への電源供給を禁止させて省電力モードに戻す。
【００２２】
なお、予めセットされた時刻になる、あるいは外部機器から所定の信号を受ける等のイベントによって、本体システム１２あるいはサブシステム１３への電源供給を再開させるようにしてもよい。
【００２３】
なお、本体システム１２の制御部１２ａ、サブシステム１３の制御部１３ａは、例えば、ＣＰＵ、自由に書換可能なメモリ、シリアル通信回路等をワンチップに集積したマイクロコントローラで構成できるが、その場合には、シリアル通信によって、本体システム１２とサブシステム１３とのデータ通信を簡単に実現できる。
【００２４】
図２は、省電力モードから復帰する際のサブシステム１３の制御部１３ａによる制御の基本手順を示したフローチャートである。
【００２５】
この手順では、サブシステム１３への電源供給が再開されると、制御部１３ａはまずサブシステム１３の全体を初期化する（ステップ１０１）。
その初期化が完了した後は、制御部１３ａが検知部１４を参照して、省電力モード解除キー１５が継続して操作されている時間を判別する。ここで、制御部１３ａが省電力モード解除キー１５の操作時間が所定値以上であると判断したときには、音声出力部１３ｄおよび表示部１３ｃを作動させて、ユーザに省電力モードの解除を報知した後、通常処理に移行する（ステップ１０２〜１０６）。
一方、制御部１３ａが、省電力モード解除キー１５の操作時間が所定時間未満と判断したときには、サブシステム１３への電源供給を再び中断させて、省電力モードに戻す（ステップ１０７）。
【００２６】
図３は、省電力制御キー１５、検知部１４、電源部１１、サブシステム１３の状態変化を示したタイムチャートである。
図において、時刻Ｔ１では、省電力制御キーの操作が開始されている。
時刻Ｔ２では、検知部１４が省電力制御キーの操作を検知して、電源部１１に制御信号（p_con）を出力し、電源部１１は、その制御信号（p_con）を受けて、サブシステム１３への電源供給（vcc_panel）を開始している。これによりサブシステム１３の初期化が開始され、時刻Ｔ３では、その初期化の完了を制御信号（init_done）によって本体システム１２に通知している。
時刻Ｔ４では、サブシステム１３の制御部１３ａが検知部１４による検知信号（wakeup）のレベルを判断している。この場合には、省電力制御キーが所定時間以上継続的に操作されており、検知信号（wakeup）は有効となっているので、音声出力部１３ｄおよび表示部１３ｃを作動させて、ユーザに省電力モードの解除を報知している。
【図面の簡単な説明】
【００２７】
【図１】本発明による画像処理装置の概略構成を示したブロック図である。
【図２】省電力モードから復帰する際の、サブシステムの制御の基本手順を示したフローチャートである。
【図３】省電力制御キー、検知部、電源部、サブシステムの状態変化を示したタイムチャートである。
【符号の説明】
【００２８】
１      画像処理装置
１１    電源部
１２    本体システム
１３    サブシステム
１３ａ  制御部
１３ｄ  音声出力部
１４    検知部
１５    省電力モード解除キー
【図１】
0005083017.tif 000002
【図２】
0005083017.tif 000003
【図３】
0005083017.tif 000004